(57)【要約】【解決手段】患者インターフェイス装置、及び該患者インターフェイス装置に流体が行き来可能に繋がって患者に医療流体を供給するバルクコンテナ及びポンプアセンブリを含む流体搬送システムが開示されている。ポンプアセンブリは、コンテナ本体を含み、該コンテナ本体は閉じた端部を含み、医療流体を保持する内部室に繋がる開口を形成し、ポンプ装置はコンテナ本体の開口を閉じて封止し、コンテナ本体から医療流体を引き出して患者に流体を搬送するのに適している。流体搬送システムに医療流体を供給する方法もまた開示され、該方法はバルクコンテナ及びポンプアセンブリを提供する工程を含み、アセンブリをポンプ装置を駆動する駆動装置に解除可能に繋げる。アセンブリはギアポンプの形であるポンプ装置を含み、駆動装置に駆動される平歯車を含む。【選択図】図１
2009532112.tif 000002
【特許請求の範囲】
【請求項１】
バルクコンテナ及びポンプアセンブリであって、
略閉じた端部を有し、コンテナ本体内の内部室に繋がる開口を形成して医療用流体を保持するコンテナ本体と、
コンテナ本体の開口を閉じて封止し、コンテナ本体からの医療用流体を引き出し、患者に医療用流体を搬送するように構成されたポンプ装置を具えた、バルクコンテナ及びポンプアセンブリ。
【請求項２】
コンテナ本体は略剛体である、請求項１に記載のバルクコンテナ及びポンプアセンブリ。
【請求項３】
ポンプ装置は、ギアポンプを含む、請求項１に記載のバルクコンテナ及びポンプアセンブリ。
【請求項４】
ギアポンプは、コンテナ本体の開口を封止するハウジング内に配備される、請求項３に記載のバルクコンテナ及びポンプアセンブリ。
【請求項５】
ギアポンプは、平歯車を含む、請求項３に記載のバルクコンテナ及びポンプアセンブリ。
【請求項６】
更に、コンテナ本体に繋がり、コンテナ本体の情報をセンサに供給するように作動可能である符号化デバイスを含む、請求項１に記載のバルクコンテナ及びポンプアセンブリ。
【請求項７】
符号化デバイスは、光学的に読み出し可能なデバイスを含む、請求項６に記載のバルクコンテナ及びポンプアセンブリ。
【請求項８】
コンテナ本体の情報は、少なくともコンテナ本体の量の情報と、コンテナ本体に含まれる医療用流体のタイプを含む、請求項６に記載のポンプカセット。
【請求項９】
コンテナ本体とポンプ装置は、単一のユニットとして、使い捨て可能である、請求項１に記載のバルクコンテナ及びポンプアセンブリ。
【請求項１０】
流体搬送システムであって、
患者インターフェイスと、
患者インターフェイスと流体が行き来可能に繋がって、患者インターフェイスを介して患者に医療用流体を供給するバルクコンテナ及びポンプアセンブリを具え、
バルクコンテナは、略閉じた端部を有し、コンテナ本体内の内部室に繋がる開口を形成して医療用流体を保持するコンテナ本体を含み、
ポンプアセンブリは、コンテナ本体の開口を閉じて封止し、コンテナ本体からの医療用流体を引き出し、患者に医療用流体を搬送するように構成されたポンプ装置を含む流体搬送システム。
【請求項１１】
ポンプ装置は、ギアポンプを含む、請求項１０に記載の流体搬送システム。
【請求項１２】
ギアポンプは、コンテナ本体の開口を封止するハウジング内に配備される、請求項１１に記載の流体搬送システム。
【請求項１３】
更にコンテナ本体内に配備されて、コンテナ本体から医療流体を分配するプランジャを有する、請求項１０に記載の流体搬送システム。
【請求項１４】
更に、コンテナ本体に繋がり、コンテナ本体の情報をセンサに供給するように作動可能である符号化デバイスを含む、請求項１０に記載の流体搬送システム。
【請求項１５】
符号化デバイスは、光学的に読み出し可能なデバイスを含む、請求項１４に記載の流体搬送システム。
【請求項１６】
コンテナ本体の情報は、少なくともコンテナ本体の量の情報と、コンテナ本体に含まれる医療用流体のタイプを含む、請求項１４に記載の流体搬送システム。
【請求項１７】
コンテナ本体とポンプ装置は、単一のユニットとして、使い捨て可能である、請求項１０に記載の流体搬送システム。
【請求項１８】
更に、ポンプ装置に作動可能に接続されて、ポンプ装置を駆動する駆動装置を具える、請求項１０に記載の流体搬送システム。
【請求項１９】
ポンプ装置は、ギアポンプを具え、駆動装置はギアポンプを駆動するように構成されている、請求項１８に記載の流体搬送システム。
【請求項２０】
更に、コンテナ本体に繋がって、コンテナ本体内の医療用流体のレベルを決定する流体レベルセンサを具える、請求項１０に記載の流体搬送システム。
【請求項２１】
流体レベルセンサは、医療用流体がコンテナ本体内の最小レベルに何時達するかを感知するように構成されている、請求項２０に記載の流体搬送システム。
【請求項２２】
バルクコンテナ及びポンプアセンブリは、ポンプ装置を駆動するように構成されている駆動装置を支持するベースに解除可能にロックすることができる、請求項１０に記載の流体搬送システム。
【請求項２３】
バルクコンテナ及びポンプアセンブリは、少なくとも１つの解除可能なクランプを具えたベースに解除可能にロックすることができる、請求項２２に記載の流体搬送システム。
【請求項２４】
更に、解除可能なクランプに繋がって、解除可能なクランプのロック位置を識別するように構成されているセンサを具える、請求項２３に記載の流体搬送システム。
【請求項２５】
流体搬送システムであって、
制御ユニットと、
制御ユニットによって作動可能に制御される駆動装置と、
流体が行き来可能なバルクコンテナ及びポンプアセンブリを具え、
バルクコンテナは、略閉じた端部を有し、コンテナ本体内の内部室に繋がる開口を形成して医療用流体を保持するコンテナ本体を具え、
ポンプアセンブリは、コンテナ本体の開口を閉じて封止し、コンテナ本体から医療用流体を引き出して、患者に医療用流体を搬送するように構成されたポンプ装置を具え、駆動装置はポンプ装置に作動可能に接続されて、ポンプ装置を駆動する流体搬送システム。
【請求項２６】
更に、コンテナ本体に繋がって、コンテナ本体内の医療用流体のレベルを決定する流体レベルセンサを具える、請求項２５に記載の流体搬送システム。
【請求項２７】
流体レベルセンサは、医療用流体がコンテナ本体内の最小レベルに何時達するかを感知するように構成されている、請求項２６に記載の流体搬送システム。
【請求項２８】
更に、バルクコンテナとポンプアセンブリを、駆動装置を支持するベースに解除可能にロックするように構成された解除可能なクランプに繋がったセンサを具え、センサは解除可能なクランプのロック位置を識別するように構成されて、制御ユニットに信号を送信する、請求項２５に記載の流体搬送システム。
【請求項２９】
更に、コンテナ本体に繋がった符号化デバイスを具えて、コンテナ本体の情報を、制御装置に作動可能に繋がったセンサに供給する、請求項２３に記載の流体搬送システム。
【請求項３０】
符号化デバイスは、光学的に読出し可能な装置を含む、請求項１５に記載の流体搬送システム。
【発明の詳細な説明】
【技術分野】
【０００１】
発明の分野
本発明は、流体を患者に供給する流体搬送システムに関し、特に圧力下にて患者に流体を搬送するように構成されたバルクコンテナとポンプアセンブリを具えた流体搬送システムに関する。
【背景技術】
【０００２】
関連技術の記載
多くの医療手順に於いて、流体を患者内に注入するのが望ましい。コンピュータ断層撮影法(「ＣＴ」)及び血管造影法のような或る医療手順に於いて、異なるタイプの造影剤(しばしば単に造影と呼ばれる)が、診断及び治療イメージングの目的から、患者に注入される。例えば、造影剤は血管造影法、静脈造影法、尿路造影、ＣＴ走査、核磁気共鳴映像法(ＭＲＩ)及び超音波イメージングのようなＸ線診断手順に用いられる。造影剤はまた、例えば、血管形成及び他のインターベンショナル放射線学上の手順を含む治療手順に使用される。しばしば、医療手順は、静脈注射用薬、生理食塩水及びグルコースのような置換液体などの供給を含む。
【０００３】
流体を患者に注入する現行の流体搬送システム及び方法の使用には、多くの問題が生じる。例えば、ポンプ機構によって搬送された流体の圧力及び流速を正確に制御するのは、しばしば困難である。蠕動ポンプ(peristaltic)が比較的低い圧力の用途で成功裡に使用されたが、蠕動ポンプは正確に制御するのが難しい。
【０００４】
ＣＴ及び血管造影法のような比較的より高い圧力の用途の場合には、機械化されたシリンジインジェクタが使用される。機械化されたシリンジインジェクタの使用は、さらに多くの欠点に帰着する。シリンジポンプに動力を供給し制御する現行の機構は複雑で、非能率的で、高価になる。シリンジポンプを収容する高価でかさばった圧力ジャケットが、高圧での失敗を防ぐためにしばしば必要とされる。シリンジポンプは、１回当たりシリンジに収容された量の液体のみしか注入されないという厳しい制約がある。使い捨てのシリンジポンプは高価である。
さらに、シリンジインジェクタの立ち上がり時間は、モータ回転をシリンジプランジャの動きに変換するのに必要な、広範囲な駆動系の慣性による制限を受ける。
【０００５】
現行のシリンジポンプシステム中のこれら及び他の欠点により、造影剤を注入する現行の手順に、多くの非能率が生成され且つ増幅される。例えば、これらに限定されないが、実行されるべき手順及び患者のサイズを含む多くの要因は、(i)使用される造影剤(ii)その濃度及び(iii)注入量を決定する。
シリンジポンプシステムを介して造影剤を注入する現行の実務の下では、病院は、高価な造影剤の無駄を最小にしつつ、特定の手順の特定の造影剤の正確な濃度及び量を提供しようとして、多数のサイズのコンテナに多数の濃度の造影剤を購入し貯蔵しなければならない。これは、病院又は他の患者のケア環境(settings)で用いられる、生理食塩水又はグルコース濃度液のような、より慣例的に用いられている液体の場合と同様である。
【０００６】
このようにして、大部分の造影剤は、２０ｍｌから２００ｍｌのサイズまで徐々に分布する殺菌されたコンテナ(ガラス瓶又はプラスチック容器のような)内にて数々の濃度で製造業者によって供給される。造影剤は、一般的に造影剤を注入するのに用いられるシリンジポンプによってそのようなコンテナから吸引され、コンテナに残るあらゆる造影剤は、廃棄されて、汚染された造影剤にて感染することを防ぐ。病院のスタッフは、廃棄する造影剤を最小にしつつ、最適な検討を確実にすべく、適切なサイズの造影剤コンテナを選択する課題に直面する。当初に計算されたよりも一層造影剤が要求されるならば、シリンジを再充填するのに時間を消費する手順が要求される。現行のシステムの下で要求される造影剤コンテナの在庫は、造影剤供給者−消費者チェーンの全体に亘って、コスト及び規制による負担を増加させる。
【０００７】
放射線学上の研究及び治療手順に供給される造影剤の領域を越えて、流体は病院に収容された患者に一層定期的に供給され、グルコース及び生理食塩水濃縮液のような流体は、一般にグラス又はプラスチック瓶、又はサイズ及び濃度が変化するＩＶバッグにて供給される。そのようなコンテナの中身は、例えば重力の下、又はコンテナにポンプ装置を取り付け、患者の静脈へ薬剤を搬送するのに望ましいように、圧力下、患者に中身を注入することによって空にされる。そのような追加のポンプ装置は一般に複雑で、コストが掛かり、嵩張る装置であって、一括払いの設備投資を要求し、ポンプ装置を設定し準備する医療従事者の一部に、ある程度の専門知識を要求する。そのようなポンプ装置を適切に作動させるように構成するのに費やす時間は、病院内の患者又は他の患者のケア設置に費やされるケア時間から減じられる。ここで記載された発明の意図は、そのようなポンプ装置に代えて低コストで使用者に使いやすいポンプ装置を提供し、多くの異なる流体搬送手順に一般に用いられる流体搬送システムを提供することである。
【発明の開示】
【０００８】
発明の要約
一態様に於いて、本発明はバルクコンテナ及びポンプアセンブリを指向し、バルクコンテナは略閉じた端部を有し、コンテナ本体内の内部室に繋がる開口を形成して医療用流体を保持するコンテナ本体を具え、
ポンプアセンブリは、コンテナ本体の開口を閉じて封止し、コンテナ本体から医療用流体を引き出して、患者に医療用流体を搬送するように構成されたポンプ装置を具える。コンテナ本体は略剛体、又は柔らかい側部を有するコンテナ、及び夫々がポンプ装置を受ける適切な開口を有するＩＶバッグのような柔らかいコンテナの形を採る。コンテナ本体及びポンプ装置は、１つのユニットとして、便利に使い捨て可能である。
【０００９】
１つの形式に於いて、ポンプ装置は、ギアポンプである。そのようなギアポンプは、コンテナ本体の開口を封止するハウジング内に配備され、平歯車を含む。平歯車は、コンテナ本体の開口を封止するハウジング内に配備される。
【００１０】
ポンプ装置は、コンテナ本体の開口を封止するハウジングを含み、ハウジングの内部はコンテナ本体によって規定される内部室と流体が行き来可能である。ハウジングは、コンテナ本体からハウジングを介して患者に医療用流体を分配するバルブを含む。
【００１１】
アセンブリの他の特徴は、コンテナ本体に繋がった符号化デバイスに関する。符号化デバイスは、コンテナ本体の情報をセンサに供給するように動作可能である。符号化デバイスは例として、光学的又は機械的に読み出し可能なデバイスである。コンテナ本体の情報は、これらに限定されないが、コンテナ本体の量の情報、及びコンテナ本体内に含まれる医療用流体のタイプを含む。
【００１２】
他の態様に於いて、本発明は流体搬送システムを指向し、該システムは患者インターフェイス装置、バルクコンテナ、患者インターフェイス装置に流体が行き来可能に繋がって、患者インターフェイス装置を介して患者に医療用流体を供給するポンプアセンブリを含む。ポンプアセンブリは、コンテナ本体を含み、該コンテナ本体は略閉じた端部を含んで、医療用流体を保持するコンテナ本体内の内部室に繋がる開口を形成している。ポンプアセンブリは、コンテナ本体の開口を閉じ、封止して、コンテナ本体から医療用流体を引き出し、該医療用流体を患者に搬送するように構成されたポンプ装置を含む。これまでに記載したように、コンテナ本体は略剛体であり、又は柔軟な側部を有するコンテナ及びＩＶバッグのような柔軟なコンテナの形を採り、各々はポンプ装置を受け入れる適切な開口を有する。コンテナ本体及びポンプ装置は、単一のユニットとして便利に使い捨て可能である。
【００１３】
１つの形式に於いて、ポンプ装置は、ギアポンプである。そのようなギアポンプは、コンテナ本体の開口を封止するハウジング内に配備され、平歯車を含む。平歯車は、コンテナ本体の開口を封止するハウジング内に配備される。
【００１４】
ポンプ装置は、コンテナ本体の開口を封止するハウジングを含み、ハウジングの内部はコンテナ本体によって規定される内部室と流体が行き来可能である。ハウジングは、コンテナ本体からハウジングを介して患者に医療用流体を分配するバルブを含む。コンテナ本体内にプランジャが配備されて、例えばポンプ装置の動作時にコンテナ本体から医療用流体を分配する。
【００１５】
符号化デバイスは、コンテナ本体に繋がる。符号化デバイスは、コンテナ本体の情報をセンサに供給するように動作可能である。符号化デバイスは、光学的又は機械的に読み出し可能なデバイスであり得る。コンテナ本体の情報は、これらに限定されないが、コンテナ本体の量の情報、及びコンテナ本体内に含まれる医療用流体のタイプを含む。
【００１６】
駆動装置がポンプ装置に作動可能に繋がって、ポンプ装置を駆動する。示されるように、１つの形式に於いて、ポンプ装置はギアポンプであり、駆動装置はギアポンプを駆動するように構成されている。ギアポンプは平歯車を含み、駆動装置は平歯車に繋がって平歯車を駆動するモータを含む。
【００１７】
流体レベルセンサがコンテナ本体に連繋して、コンテナ本体内の医療用流体レベルを決定する。そのような流体レベルセンサは、医療用流体がコンテナ本体内の最小レベルに達すると感知するように構成されている。
【００１８】
バルクコンテナ及びポンプアセンブリは、ポンプ装置を駆動するように構成された駆動装置を支持するベースに解除可能にロック可能である。バルクコンテナ及びポンプアセンブリは、１又は２以上のクランプで、ベースに解除可能にロック可能である。センサが解除可能なクランプに繋がる。そのようなセンサは、解除可能なクランプのロック位置を識別するように構成されている。
【００１９】
他の実施例に於いて、流体搬送システムは、制御ユニット、制御ユニットに作動可能に制御される駆動装置、バルクコンテナ及びポンプアセンブリを略含む。以前の実施例の如く、ポンプアセンブリは、コンテナ本体を含み、該コンテナ本体は略閉じた端部を含んで、医療用流体を保持するコンテナ本体内の内部室に繋がる開口を形成している。
ポンプアセンブリは、コンテナ本体の開口を閉じ、封止して、コンテナ本体から医療用流体を引き出し、該医療用流体を患者に搬送するように構成されたポンプ装置を含む。駆動装置はポンプ装置に作動可能に接続されて、ポンプ装置を駆動する。
【００２０】
流体レベルセンサがコンテナ本体に連繋して、コンテナ本体内の医療用流体レベルを決定する。流体レベルセンサは例えば、医療用流体がコンテナ本体内の最小レベルに達すると感知し、制御ユニットに信号を送るように構成されている。
【００２１】
流体搬送システムに於いて、センサが解除可能なクランプに繋がり、該クランプはバルクコンテナ及びポンプアセンブリを、駆動装置を支持するベースに解除可能にロックするように構成されている。センサは解除可能なクランプのロック位置を識別し、制御ユニットに信号を送るように構成されている。
【００２２】
符号化デバイスは、コンテナ本体に繋がる。符号化デバイスはコンテナ本体の情報を制御装置に作動可能に接続されたセンサに供給するように作動可能である。その形について(in form)、符号化デバイスは、光学的に読み出し可能なデバイスである。
【００２３】
本発明の他の態様は、医療用流体を流体搬送システムに供給する方法に関し、該方法はバルクコンテナ及びポンプアセンブリを供給する工程と、バルクコンテナ及びポンプアセンブリを駆動装置に解除可能に繋げてアセンブリのポンプ装置を駆動する工程を略含む。上記の如く、ポンプアセンブリはコンテナ本体を含み、該コンテナ本体は略閉じた端部を含んで、医療用流体を保持するコンテナ本体内の内部室に繋がる開口を形成している。ポンプアセンブリは、コンテナ本体の開口を閉じ、封止して、コンテナ本体から医療用流体を引き出すように構成されたポンプ装置を含む。
【００２４】
方法の他の態様は、バルクコンテナ及びポンプアセンブリを、駆動装置を支持するベースに解除可能にロックする工程と、バルクコンテナ及びポンプアセンブリのベースへのロック状態を感知する工程を含む。
【００２５】
方法に於いて、駆動装置の作動により、バルクコンテナ及びポンプアセンブリが駆動されて、コンテナ本体から医療用流体を引き込む。駆動装置は、駆動装置の動作を制御する制御ユニットによって作動される。コンテナ本体内の医療用流体は、例えばアセンブリのポンプ装置の動作中は、コンテナ本体内の医療用流体の最小レベルについて、連続的に監視される。
【００２６】
更にコンテナ本体は、センサにコンテナ本体の情報を提供するように動作可能な符号化デバイスを含み、方法は更にセンサで符号化デバイスを感知する工程を含む。感知されたコンテナ本体の情報は、制御ユニットに送られ、該制御ユニットは感知されたコンテナ本体の情報に基づいて駆動装置の動作を修正するのが望ましい。一実施例に於いて、符号化デバイスは光学センサにより感知され、コンテナ本体の情報は、コンテナ本体に関する他の情報と同様に、コンテナ本体の量の情報及びコンテナ本体又は所望ならばポンプ装置内に含まれる医療用流体のタイプ、コンテナ本体の中身を含む。
【００２７】
本発明の更なる詳細な点及び利点は、添付の図面に関連して、以下の詳細な記載を読めば明らかになるだろう。
【発明を実施するための最良の形態】
【００２８】
好ましい実施例の記載
ここでの説明の目的から、空間方向の語が用いられているときは、それは添付の図面の中での方向に示され、そうでなければ本発明の以下の説明に記載された方向として、本発明の実施例に関する。しかし、ここに記載された実施例は多くの代替的な変形及び構成が推定されることが理解されるだろう。また、添付の図面に示され及びここに記載された特定の装置は、単に本発明の例示であり、限定するものとして解されるべきではない。
【００２９】
本発明の一態様は、バルクコンテナ及びポンプアセンブリを指向し、本発明の他の態様は、流体搬送システムの一部として、バルクコンテナ及びポンプアセンブリを組み込む。システムに於いて、ポンプはバルクコンテナから流体を引き込み、次にカテーテル、ＩＶ針、及び／又はチュービングセットのような適切なインターフェイス装置を介して患者に流体を搬送する。システムは比較的少量の流体を患者に供給するように構成されて、システムは薬剤注入、遺伝子治療又は化学療法媒体、又はコンピュータ断層撮影(「ＣＴ」)及び血管造影又は他の心臓血管手順中に一般に用いられる造影剤のような大量の流体に用いられ得る。
バルクコンテナ及びポンプアセンブリは好ましくは、比較的安価な材料で作られた複合装置として構成される。これにより、バルクコンテナ及びポンプアセンブリが、１回の使用後に１つのユニットとして処分されることができ、それによって、流体搬送システムとのユーザインターフェイスが減ることにより、患者の応答時間(turn around time)が増加し、システム及び医療用流体の汚染の可能性が減る。
【００３０】
図１及び図２について、バルクコンテナ及び符号(２)で略示されるポンプアセンブリ(以下、「アセンブリ(２)」とする)は、コンテナ本体(４)及びポンプ装置(６)を略具える。コンテナ本体(４)は、開口(９)を形成して閉じた上端部(８)を形成し、更にコンテナ本体(４)内に形成されて医療用流体を保持する内部室(12)に通じる底開口(10)を形成する。医療用流体は、医療用画像用途に用いられる造影剤であり、薬剤注入に用いられる流体であり、遺伝子治療又は化学療法に用いられる流体であり、又は病院又は他の患者ケアセッティングに用いられる生理食塩水及びグルコースＩＶのような一般的な医療用流体であり得る。コンテナ本体(４)は略剛体であり、剛性のコンテナ、柔軟な側部を有するコンテナ及びＩＶバッグのような柔軟なコンテナを含むが、これらに限定されない。
【００３１】
コンテナ本体(４)はまた、内部室(12)内に位置するプランジャ(13)を含む。図示するように、開口(９)は閉じた端部(８)に形成される。開口(９)は後で詳しく述べるように、内部室(12)から流体を空にするのに用いられ、内部室(12)内に圧力差を生じさせる。コンテナ本体(４)の閉じた端部(８)内の開口(９)に代えて、空気が内部室(12)に入るのを許すが液体が入るのを許さない逆止弁又は他の構造が用いられてもよい。
プランジャ(13)はアセンブリ(２)の使用前状態にて開口(９)を通って延びるプランジャステム(60)を含む。プランジャロッククリップ(62)が開口(９)に位置して、プランジャ(13)から延びるプランジャステム(60)に係合して、プランジャステム(60)を開口(９)内に取り付ける。プランジャステム(60)はアセンブリ(２)の使用前状態にて開口(９)を通って延び、使用前のプランジャ(13)の交換を阻止し、更に望ましくは使用前に開口(９)を封止する。従って、アセンブリ(２)の使用前状態にて、プランジャステム(60)は開口(９)へのプラグとして働き、プランジャロッキングクリップ(62)が、プランジャステム(60)内に形成された側部溝(64)に係合することによって、所定位置に保持される。所望ならば、端部キャップ(66)がプランジャステム(60)の端部に配備されて、開口(９)内のプランジャステム(60)の配置を確実にし、プランジャロッキングクリップ(62)がプランジャステム(60)から不用意に外れることを防ぐ。プランジャステム(60)、プランジャロッキングクリップ(62)及び端部キャップ(66)は、取外し可能なシール構造として働き、コンテナ本体(４)の内部室(12)が大気圧に通気され(vented)、それにより、ポンプ装置(６)が作動されたときに、コンテナ本体(４)の中身を空にすることができる。
【００３２】
ポンプ装置(６)は、コンテナ本体(４)の開口(10)を略閉じて封止し、コンテナ本体(４)から流体を引き出し、患者に該流体を搬送するように構成される。ポンプ装置(６)は、上ハウジング本体(14)及び下ハウジング本体(16)を含み、両者でポンプハウジング(18)を略構成する。ポンプハウジング(18)は、望ましくはスナップフィット接続にてコンテナ本体(４)に取り付けられ、それによってコンテナ本体(４)の底を封止する。ポンプハウジング(18)の内部は、上ハウジング本体(14)の排出開口(19)を介してコンテナ本体(４)内に形成された内部室(12)に流体が行き来可能に繋がり、該上ハウジング本体(14)はここで記載するように、少なくとも一部がコンテナ本体(４)の底開口(10)に挿入されるように構成される。底開口(10)と上ハウジング本体(14)との間に流体漏れしないシールを配備する為に、上ハウジング本体(14)に周縁シール構造(20)が連繋する。そのような周縁シール構造(20)は、上ハウジング本体(14)上に形成された中央円筒領域(21)の周りに延び、該中央円筒領域(21)はコンテナ本体(４)に形成された底開口(10)に挿入されるように構成される。
図２に示すように、中央円筒領域(21)に排出開口(19)が開設される。シール構造(20)は、底開口(10)を形成するコンテナ本体(４)の内部壁と中央円筒領域(21)の間にシールを形成する。１つの形式に於いて、周縁シール構造(20)は、上ハウジング本体(14)の中央円筒領域(21)の周りに延びる周縁溝(24)内に配備される一対のＯリング(22)によって形成される。公知の如く、Ｏリングは流体接続をシールするのに用いられる従来からの構造である。ポンプハウジング(18)内に於いて、Ｏリング(22)は、上ハウジング本体(14)がコンテナ本体(４)に取り付けられたときに、底開口(10)を形成するコンテナ本体(４)の内部壁と上ハウジング本体(14)の中央円筒領域(21)の間に略緊密な流体バリアを形成する。
【００３３】
上ハウジング本体(14)によって、コンテナ本体(４)の開口(10)のシールを確実にすべく、コンテナ本体(４)とポンプハウジング(18)とが堅固に接続される。組立を容易にすべく、そのような堅固な接続には、スナップフィットが望ましい。この目的から、コンテナ本体(４)は、付随的な係合タブ(72)を有する底フランジ(70)を具えて形成される。上ハウジング本体(14)は、複数の受け入れ開口(76)を形成した対向し略協働するフランジ(74)を具えて形成され、開口(76)はコンテナ本体(４)の底フランジ(70)上の付随的なタブ(72)を受け入れるように構成される。付随的なタブ(72)は、スナップフィット法で受け入れ開口(76)に係合する矢印形又は棘のある従来からのタブであり、従って、底フランジ(70)の協働フランジ(74)への係合を維持する。
【００３４】
下ハウジング本体(16)は、内部量即ち領域Ａを形成する起立したリップ即ちリム(78)を具えた略ボウル形の構造であり、領域Ａ内にて上ハウジング本体(14)が取り付けられる。下ハウジング本体(16)は、記載したコンテナ本体(４)及び上ハウジング本体(14)と同様の方法で、協働フランジ(74)内に形成された第２組の受け入れ開口(82)と係合するように構成された複数の内部係合タブ(80)を含む。繰り返すが、内部係合タブ(80)は、スナップフィット法で受け入れ開口(82)に係合する矢印形又は棘のある従来からのタブであり、従って、上ハウジング本体(14)の下ハウジング本体(16)への係合を維持する。スナップフィット接続がコンテナ本体(４)を上ハウジング本体(14)に係合し、上ハウジング本体(14)を下ハウジング本体(16)に係合する手段として示されているが、この例示的な接続技術は、ポンプハウジング(18)をコンテナ本体(４)に取り付けるのに用いられる可能性のある付加的な代替技術を限定するものとしてと解釈すべきでない。そのような代替手段は、一般的には医療用グレード接着剤である接着剤を使用して、コンテナ本体(４)上の底フランジ(70)及び上ハウジング本体(14)の協働フランジ(74)間の堅固な接続を形成し、同様に協働フランジ(74)と下ハウジング本体(16)の内部間とのシール接続を形成することを含む。
前者の取付け接続では、接着剤は底フランジ(70)を協働フランジ(74)に取り付けるのに用いられる。後者の取付け接続では、接着剤は協働フランジ(74)を下ハウジング本体(16)の内部に取り付けるのに用いられる。他の例は、付随的な係合タブ(72)及び突出した係合タブ(80)の代わりに機械的締結具を使用することである。更なる例は、底フランジ(70)と協働フランジ(74)間、及び協働フランジ(74)間と下ハウジング本体(16)の内部間に単なる機械的なクランプ接続を使用することである。
更に図２に示すように、スペーサ(84)が下ハウジング本体(16)の一部として形成されている。スペーサ(84)は、上ハウジング本体(14)上に形成された中央円筒領域(21)の底内面に係合又は接触し、且つ上ハウジング本体(14)と下ハウジング本体(16)の接続を安定させるように略構成されている。
【００３５】
ポンプ装置(６)は、上ハウジング本体(14)と下ハウジング本体(16)間のポンプハウジング(18)内に入れられたギアポンプ(26)を含む。ギアポンプ(26)は、以前に記載したシリンジタイプのインジェクタには一般的な最小の圧力パルス無しで又は圧力パルスとともに、略均一な圧力にて正確な流体量を搬送することができる。ギアポンプ(26)は、第１の平歯車(28)を含み、該第１の平歯車は同様の第２の平歯車(30)を駆動する。しかし、両平歯車(28)(30)は駆動されて、両平歯車(28)(30)は反対方向に回転する。動作に於いて、第１の平歯車(28)及び第２の平歯車(30)の等速且つ反対方向の回転は、プランジャ(13)を内部室(12)内に下向きに引き込むコンテナ本体(４)の内部室(12)内の真空圧を生成し、それによって、流体をコンテナ本体(４)から上ハウジング本体(14)の排出開口(19)を介してポンプハウジング(18)内に送り込む(force)。
望ましくは、ギアポンプ(26)を形成する第１及び第２の平歯車(28)(30)は、ポンプハウジング(18)の下ハウジング本体(16)の一部として形成された内部ハウジング(31)内に配備される。内部ハウジング(31)は、上ハウジング本体(14)の排出開口(19)を介して、コンテナ本体(４)の内部室(12)に流体が行き来可能に接続される。ギアポンプ(26)が作動すると、コンテナ本体(４)の内部室(12)に含まれる流体は、排出開口(19)を通って引き出され、内部ハウジング(31)内に入る。
出口バルブ(32)がポンプ装置(６)の下ハウジング本体(16)上に位置して、ポンプ装置(６)は内部ハウジング(31)に流体が行き来可能に接続されて、ポンプ装置(６)から流体を分配し、流体はコンテナ本体(４)から引き出されて、アセンブリ(２)を出ることができる。出口バルブ(32)は、標準的な雄又は雌ルア端部コネクタを有する、従来からの栓バルブである。
【００３６】
図２に示す如く、Ｏリング(33)が配備されて、下ハウジング本体(16)によって略形成される内部領域Ａから内部ハウジング(31)をシールする。シール用Ｏリング(33)は、上ハウジング本体(14)上及びその中の排出開口(19)の周りに形成される中央円筒領域(21)の底内面に対してシールする。一旦、内部ハウジング(31)が中央円筒領域(21)にシールされると、自動的に上ハウジング本体(14)が下ハウジング本体(16)に取り付けられ、コンテナ本体(４)の内部室(12)から内部ハウジング(31)の内側、及び最終的には出口バルブ(32)まで流路がシールされる。
【００３７】
図３−図５について、ベースインターフェイス構造即ちプラットフォーム(34)が、バルクコンテナ及びポンプアセンブリ(２)を支持するように構成され、更にアセンブリ(２)を作動し監視する装置を支持する。記載された実施例では、駆動装置(36)はポンプ装置(６)を駆動すべく、望ましくはアセンブリ(２)のポンプ装置(６)の下の好都合な位置にて、ベース(34)に支持される。記載された駆動装置(36)はモータ(38)、駆動列プーリ(40)、駆動列スピンドル(42)、ギアポンププーリ(44)及び駆動列ベルト(46)を含む。モータ(38)は、駆動列プーリ(40)に作動可能に結合され、該駆動列プーリ(40)を駆動する。駆動列プーリ(40)は、ギアポンププーリ(44)及び駆動列ベルト(46)を介して駆動列スピンドル(42)に連結される。モータ(38)によって生成される動力は、ギアポンププーリ(44)を回転させるのに用いられる駆動列ベルト(46)に付与される。駆動列ベルト(46)は、ギアポンププーリ(44)と駆動列プーリ(40)間に張られている。ギアポンププーリ(44)は第１の平歯車(28)に結合されて、第１の平歯車(28)を駆動し、該第１の平歯車(28)は第２の平歯車(30)にかみ合い係合している故に、第２の平歯車(30)を駆動する。図５に示す如く、ギアポンププーリ(44)はベース(34)内の開口(48)を通って延びてギアポンプ(26)の第１の平歯車(28)に係合するシャフト(47)を含む。このようにして、ギアポンププーリ(44)は、アセンブリ(２)がベース(34)に繋がったときに、ギアポンプ(26)に自動的に作動可能に接続される。一旦、ギアポンププーリ(44)がギアポンプ(26)の第１の平歯車(28)に結合されると、駆動装置(36)は作動されて、ギアポンプ(26)の平歯車(28)(30)を駆動し、コンテナ本体(４)から流体を分配する。モータ(38)はＤＣモータ又はあらゆる他の適切なモータである。図３−図５の駆動装置(36)の構成は、ポンプ装置(６)を駆動するのに用いられる装置の典型的な実施例として提供される。あらゆる適切な機械的な装置駆動構成が、示された駆動ベルトシステムの代わりに用いられ得る。例えば、駆動列プーリ(40)は、ギアポンププーリ(44)の代わりに配備される平歯車を駆動する従来からの平歯車である。
【００３８】
少なくとも１つ、望ましくは２つの解除可能なクランプ(49)がベース(34)に配備されて、アセンブリ(２)をベース(34)にロックし、更にポンプ装置(６)を駆動装置(36)に作動可能に結び付ける。クランプ(49)は機械的又は電気的の何れでも、一致して作動し、アセンブリ(２)に係合して、アセンブリ(２)をベース(34)に取り付けるように構成されるのが望ましい。クランプ位置センサ(50)がベース(34)上に位置して、１つのクランプ(49)に繋がる。
クランプ位置センサ(50)は、クランプ(49)の位置を識別し、特にクランプ(49)がロック位置にあるときを識別するように構成される。クランプ(49)は、下ハウジング本体(16)上に形成されたリム(78)に係合するように略構成され、リム(78)の少なくとも一部に係合するのが望ましい。前記の如く、下ハウジング本体(16)上のリム(78)は、内部量即ち領域Ａを略形成し、領域Ａ内にギアポンプ(26)を囲む内部ハウジング(31)が配備される。コンテナ本体(４)上に形成された底フランジ(70)は、リム(78)内に配備され、上ハウジング本体(14)は内部領域Ａ内の下ハウジング本体(16)に取り付けられる。
【００３９】
クランプ位置センサ(50)は、クランプ(49)がポンプハウジング(18)の下ハウジング本体(16)上のリム(78)(或いはコンテナ本体(４)の下フランジ(70))に係合するロック位置にあるときを識別するように構成され、ベース(34)上のバルクコンテナ及びポンプアセンブリ(２)の存在を示す。クランプ位置センサ(50)は駆動装置(36)又は駆動装置(36)に繋がった制御ユニットに信号を送るのが好ましく、該制御ユニットは、クランプ(49)がロック位置になければ、駆動装置(36)が作動することを阻止し、このようにしてアセンブリ(２)は駆動装置(36)に適切に係合する。
クランプ位置センサ(50)は、光学センサ、又は１又は両方のクランプ(49)のロック又は非ロック動作によりトリガされる単純な電気的スイッチである。クランプ位置センサ(50)の光学的な実施例は、図３−図６に示される。
【００４０】
ベース(34)はまた、コンテナ本体(４)内の流体レベルを決定する少なくとも１つ、望ましくは２つの流体レベルセンサ(52)を支持する。流体レベルセンサ(52)はまた特に、アセンブリ(２)の動作中、流体がコンテナ本体(４)内の最小レベルに達したときを決定するように構成されている。
一旦、流体レベルセンサ(52)が、コンテナ本体(４)内の流体が所定の最小レベルに達したことを決定すると、流体レベルセンサ(52)は遮断信号を駆動装置(36)、又は駆動装置(36)に繋がって駆動装置(36)の停止動作を生じさせる制御ユニットに送る。この遮断即ち停止信号はそれによって、システムが空気泡を患者に搬送することを阻止する。流体レベルセンサ(52)は、光学センサ、超音波センサ、音響センサ又はプラスチック又はガラスコンテナ或いは医療用チューブ内の空気泡の存在を検知する医療分野で公知のあらゆる他の適切なセンサであり得る。流体レベルセンサ(52)は示したように、解除可能なクランプ(49)構造上に便利に支持される。
【００４１】
以前に略記載したように、流体レベルセンサ(52)とクランプ位置センサ(50)は、駆動装置(36)又は制御ユニットに作動可能に接続される。代表的な制御ユニット(100)は、図４に示されて、駆動装置(36)に作動可能に繋がる。制御ユニット(100)は、外部のコンピュータシステム又は同様の装置である。制御ユニット(100)はまた、駆動装置(36)に繋がったときに、駆動装置(36)を制御することにより、アセンブリ(２)の動作を制御するのに用いられる。望ましくは、制御ユニット(100)は、コンテナ本体(４)のサイズ(即ち、量)及び更に他のパラメータと同様にコンテナ本体(４)の特定の中身に関するパラメータに従って、駆動装置(36)を作動させる。
この目的から、１又は２以上のコンテナ本体センサ(104)によって読まれる１又は２以上の符号化デバイス(102)がコンテナ本体(４)上に配備され、コンテナ本体センサ(104)は流体レベルセンサ(52)に接近して都合良く(conveniently)配備され、例えば流体レベルセンサ(52)の上方に配備される。例えば、流体レベルセンサ(52)の支持構造が付加的に用いられて、コンテナ本体センサ(104)を支持する。コンテナ本体センサ(104)が、コンテナ本体(４)上の符号化デバイス(102)を読むのに用いられて、駆動装置(36)に繋がったアセンブリ(２)のサイズ又は中身、或いはその両方に関する信号、又はここで記載したアセンブリ(２)に関する他の情報を制御ユニット(100)に送る。結果として、制御ユニット(100)は、クランプ位置センサ(50)を介してベース(34)上のアセンブリ(２)の存在を検知でき、またアセンブリ(２)を「読み込んで」、アセンブリ(２)に関する情報を得る。この情報は、制御ユニット(100)へのプログラミング入力として用いられ、それ以後、駆動装置(36)の動作を方向付け(又はその動作を修正する)、それ故に、コンテナ本体(４)からの流体の排出を制御する。このようにして、患者に合わせる特定の流体搬送／注入手順、即ち「プロトコル」が、コンテナ本体(４)から検知され即ち「読み込まれ」及び制御ユニット(100)に送信された情報に従って実行される。
【００４２】
この例に於いて、コンテナ本体(４)上の符号化デバイス(102)は、コンテナ本体(４)に凹みが変わるように付与された、一連の凹んで(即ち、窪んで)離れたバー(106)である。コンテナ本体(４)は透明又は稍不透明な成形プラスチック材から形成されて、離れたバー(106)が光学手段によって読まれ得るのが望ましい。対応する「読み込み」コンテナ本体センサ(104)は、アセンブリ(２)がベース(34)に取り付けられたとき、離れたバー(106)を読むように位置する。この目的から、ベース(34)は、離れたバー(106)が常に適切にコンテナ本体センサ(104)に繋がるように、アセンブリ(２)がベース(34)に取り付けられるべく構成される。例えば、ベース(34)は一直線の溝(図示せず)とともに形成され、ポンプハウジング(18)の下ハウジング本体(16)は、一直線の溝に係合する付随的なタブ(図示せず)とともに形成され、該タブは、アセンブリ(２)が「正しい」方向以外の如何なる向きでも、ベース(34)にクランプされることを阻止し、「正しい」方向にて、符号化デバイス(102)はコンテナ本体センサ(104)と一直線になる。この構成は更に、ポンプ装置(６)と駆動装置(36)との適切で有効な係合を確実にするのにも用いられる。
【００４３】
上記の記載に基づき、アセンブリ(２)がベース(34)に適切に取り付けられ、クランプされたとき、ポンプ装置(６)は自動的に駆動装置(36)に繋がり、コンテナ本体センサ(104)は符号化デバイス(102)を「読み込み」、制御ユニット(100)に信号を送る。制御ユニット(100)はクランプ位置センサ(50)、更にコンテナ本体センサ(104)の信号からアセンブリ(２)の存在を認識するのが望ましい。制御ユニット(100)は次に、コンテナ本体センサ(104)からの信号に含まれる情報を解釈し、コンテナ本体センサ(104)からの信号に含まれる制御情報に従って駆動装置(36)の動作を行う(または、その動作を修正する)。符号化デバイス(102)にて符号化される情報の例は、コンテナ本体(４)の寸法(即ち、量)、コンテナ本体(４)の中身を分配するのに推奨される流速情報、及びコンテナ本体(４)に含まれる流体である。
符号化デバイス(102)にて符号化される情報の他の例は、ロット番号、日付、ツールキャビティ番号である。一連の凹んで離れたバー(106)である符号化デバイス(102)の代替例として、符号化デバイス(102)はまた離れたバー(106)に対応した隆起面又は単なるバーコードを含む。符号化デバイス(102)は、スロット、孔、又はコンテナ本体(４)から延びた突起のような機械的に読まれるデバイスであり、センサ(104)の代わりに配備されるスイッチ又は他の電気機械的な構成を用いて記録される(register)。
他の代替例は、文字、ドット及びセンサ(104)のような光学センサによって読まれる他の幾何学形状のような光学的に読まれるデバイスである。更に符号化デバイス(102)は、異なるタイプの情報を含み、コンテナ本体センサ(104)は制御デバイス(100)に別々に接続されて、制御デバイス(100)に別々の入力信号を提供する。制御ユニット(100)はアセンブリ(２)及び駆動装置(36)から物理的に分離して示されるが、制御ユニット(100)はベース(34)によって物理的に支持され、全体システムの一部を形成する。
更に以前に記載したように、流体レベルセンサ(52)は制御ユニット(100)に作動可能に接続されるのが望ましく、センサ(52)によって生成される流体レベル信号は、制御ユニット(100)への入力である。制御ユニット(100)は、流体レベルセンサ(52)によって非常に低いレベルが認識されたときは、駆動装置(36)に遮断信号を生成して、駆動装置(36)の動作を止めさせ、それによって患者への空気泡の注入を防ぐ。
【００４４】
図６は、バルクコンテナ及び患者インターフェイス装置(90)に繋がったポンプアセンブリ(２)を示す。患者インターフェイス装置又は部(90)は、アセンブリ(２)の流路を患者の静脈に接続するのに用いられ、この目的からカテーテル(92)、又はＩＶ針カニューレ(図示せず)のような患者の静脈に流体を注入する他の装置を含む。患者インターフェイス装置(90)は、バルクコンテナの出口バルブ(32)とポンプアセンブリ(２)を接続するように構成されている。患者インターフェイス装置(90)は例えば、医療用チューブ接続部(94)を含み、該医療用チューブ接続部はカテーテル(92)のルアコネクタ(98)に係合するように構成された端部、即ち先端部コネクタ(96)及びバルクコンテナの出口バルブ(32)上のルアコネクタ要素とポンプアセンブリ(２)に係合するように構成された基端部コネクタ(99)を含む。カテーテル(92)に適したカテーテル及び医療用チューブ接続部(94)に適した医療用チューブ接続部は、２００５年１２月１日に出願された発明の名称が「流体搬送システム、流路、流体搬送システムと流路に用いる医療用コネクタ」である米国特許出願第60/741,146号に開示されている。この米国特許出願第60/741,146号の開示は、全体に亘って引用を持って本願への記載加入とする。
バルクコンテナ及びポンプアセンブリ(２)が１つの出口バルブ(32)又はポートを有するとしてこれまで記載してきたが、所望ならば複数の出口バルブ(32)が配備されてもよい。
【００４５】
動作に於いて、バルクコンテナ及びポンプアセンブリ(２)は、ポンプ装置(６)が駆動装置(36)に係合するように、ベース(34)上に位置決めされる。アセンブリ(２)は、解除可能なクランプ(49)を用いてベース(34)上の所定箇所にロックされる。クランプ位置センサ(50)はアセンブリ(２)がクランプ(49)によってベース(34)上の所定箇所に適切にロックされると、駆動装置(36)又は制御ユニット(100)に信号を送る。作業者は次に、プランジャステム(60)から端部キャップ(66)を取り外し、プランジャステム(60)からロッククリップ(62)を取り外す。コンテナ本体(４)の内部室(12)は、大気圧に晒される。コンテナ本体(４)内の流体圧は一般に、一旦出口バルブ(32)が開くと、患者インターフェイス部(90)から空気を吸引するのに十分である。しかし、カテーテル(92)又は均等物である患者インターフェイス装置(90)内のＩＶ針は一般に、患者の血管即ち動脈内に予め位置決めされ、一旦患者インターフェイス装置(90)の接続部(92)が空気を吸引すると、接続部(92)は予め位置決めされたカテーテル(90)に接続される。アセンブリ(２)は、患者の血管即ち動脈に流体が行き来可能に接続されるのが好ましい。駆動装置(36)は医療プロフェッショナルが駆動装置(36)に繋がった開始ボタンを押すこと、又は制御ユニット(100)がアクセスされてプログラムされた方法で駆動装置(36)を作動させることにより手動で開始するように構成され得る。
例えば、制御ユニット(100)は、タッチスクリーンのようなインターフェイス装置を含み、タッチスクリーンは流体注入プロトコル情報を制御ユニット(100)のメモリ内に入力し、制御ユニット(100)は、例えばタッチスクリーン上の「開始」ボタンを触ることにより、アクセスされて注入手順を開始する。提供される他のインターフェイス装置は、直接的又は制御ユニット(100)に供給される入力を介しての何れかにて、駆動装置(36)を開始させる手持ちコントローラである。そのような手持ちコントローラは、制御ユニット(100)の動作を制御して、コンテナ本体(４)からの流体流れを制御するように構成されている。
【００４６】
一旦、駆動装置(36)が作動されると、駆動装置(36)はギアポンプ(26)の平歯車(28)(30)を駆動する。平歯車(28)(30)の等速且つ反対動作は、コンテナ本体(４)の内部室(12)の真空圧を生成し、それによって、プランジャ(13)を内部室(12)内に下向きに引く。コンテナ本体(４)内の流体は、ポンプハウジング(18)内に移動させられ、特に下ハウジング本体(16)の内部室(31)内に移動させられ、次に出口バルブ(32)を通って患者インターフェイス装置(90)に移動させられ、それによって流体を患者の静脈へ搬送する。一旦、流体レベルセンサ(52)が流体がコンテナ本体(４)の最小レベルに達したことを決定すると、これらのセンサ(52)はカットオフ、即ち遮断信号を駆動装置(36)又は制御ユニット(100)に送る。この信号は駆動装置(36)を停止し(直接的又は制御ユニット(100)を介しての何れかにて)、それによって患者に空気泡が注入されるのを阻止する。主治医である医療プロフェッショナルはまた、所望ならば制御ユニット(100)に繋がったタッチスクリーン上の適切な「停止」ボタンに振れることにより、手持ちコントローラ(図示せず)を用いて何時でも駆動装置(36)を停止する。一旦、流体の搬送が停止すると、解除可能なクランプ(48)は解除されて、バルクコンテナ及びポンプアセンブリ(２)は、ベース(34)から取り外されて、１つのユニットとして廃棄される。アセンブリ(２)から流体的に隔離されたままのベース(34)及び駆動装置(36)は、新たな予め充填されたアセンブリ(２)を受け入れて、他の患者に汚染の怖れなく、他の患者に用いる。
【００４７】
本発明が、バルクコンテナ及びポンプアセンブリの１又は２以上の実施例を含む流体搬送システムの幾つかの実施例の詳細な記載によって記載されてきたが、当業者ならば発明の範囲及び精神から離れることなく、本発明に修正及び変更ができる。従って、これまでの記載は、限定的というよりも説明的であることを意図している。これまでに記載された本発明は、添付の請求の範囲によって定義され、請求の範囲の均等物の意味及び範囲内の本発明の全ての変更は、請求の範囲内に包含される。
【図面の簡単な説明】
【００４８】
【図１】本発明の一実施例に従ったバルクコンテナとポンプアセンブリの斜視図である。
【図２】図１に示すバルクコンテナとポンプアセンブリの分解斜視図である。
【図３】図１に示すバルクコンテナとポンプアセンブリの斜視図であり、更に動力をアセンブリ内のポンプ装置に伝える駆動装置を示す。
【図４】図３に示すバルクコンテナとポンプアセンブリの側面図である。
【図５】図３に示すバルクコンテナとポンプアセンブリの分解斜視図であり、更に駆動装置に繋がったバルクコンテナとポンプアセンブリを示す。
【図６】本発明の他の態様に従った流体搬送システム内に組み込まれたバルクコンテナとポンプアセンブリ及び関連する駆動装置の斜視図である。
【図１】
2009532112.tif 000003
【図２】
2009532112.tif 000004
【図３】
2009532112.tif 000005
【図４】
2009532112.tif 000006
【図５】
2009532112.tif 000007
【図６】
2009532112.tif 000008
【国際調査報告】
2009532112.tif 000009